(57)【要約】【課題】            面状発熱体の放射熱によって室内の暖房を行なう電気パネル暖房機の構造に関する。【解決手段】        薄型パネル状の枠体１内の背部には遮熱部材２を配置し、枠体１の前面にはガード３を配置した放熱開口４を設け、前記遮熱部材２とガード３との間の枠体１内には面状発熱体５を取り付けると共に、枠体１に備えた脚６によって枠体１を床面から立たせている。この枠体１を２個並設して回動軸部７によって二つの枠体１を連結し、二つの枠体１の放熱開口４から熱線を放射するものであり、この二つの枠体１は回動軸部７を中心にそれぞれの放熱開口４の向く方向が可変可能になっている。また、回転軸部７もしくは二つの枠体１の間には回転規制部８を設け、二つの枠体１の開口角度が所定の角度以上開かないようにすることで、枠体１を安定させることができる。【選択図】          図１
2008008601.tif 000002
【特許請求の範囲】
【請求項１】
薄型パネル状の枠体１内の背部には遮熱部材２を配置し、かつ枠体１の前面にはガード３を配置した放熱開口４を設け、前記遮熱部材２とガード３との間の枠体１内には面状発熱体５を取り付けると共に、
前記枠体１には脚６を備え、この脚６によって前記枠体１を床面から立たせて放熱開口４から熱線を放射する電気暖房機において、
前記枠体１を２個並設して回動軸部７によって二つの枠体１を連結し、その二つの枠体１は回動軸部７を中心にそれぞれの放熱開口４の向く方向が可変可能になっており、
前記回転軸部７もしくは二つの枠体１の間には、その二つの枠体１の開口角度が所定の角度以上開かないようにする回転規制部８を設けたことを特徴とする電気パネル暖房機。
【請求項２】
前記枠体１の底面には床面との間の空気が流入する空気流入口９を設け、また、枠体１の上面には空気流出口１０を設け、かつ、前記枠体１の放熱開口４が対向する回動位置では二つの枠体１の間に間隔１１を形成したことを特徴とする請求項１に記載した電気パネル暖房機。
【請求項３】
前記枠体１の側面に取り付けた前記回動軸部７は枠体１の前面よりも前方に位置しており、その回動軸部７とは反対側の枠体１の前面には凸部１２を形成し、前記間隔１１は前記回動軸部７と凸部１２とによって形成したことを特徴とする請求項１に記載した電気パネル暖房機。
【請求項４】
前記脚６は、それぞれの枠体１の側部付近の枠体１下部から後方に伸びる２個の後方脚６ａと、回動軸部７とは反対側の枠体１の側部付近の枠体１下部から前方に伸びる１個の前方脚６ｂとによって構成し、回動軸部７によって枠体１の放熱開口４が対向する回動位置では前記前方脚６ｂが当接することを特徴とする請求項１に記載した電気パネル暖房機。
【請求項５】
前記枠体１の側面に取り付けた配線カバー１３の端部には筒状部１３ａを形成し、該筒状部１３ａは前記回動軸部７の延長軸上に位置しており、
前記枠体１のそれぞれの筒状部１３ａは上下に隣接して配置し、両枠体１を連絡する配線１４は一方の配線カバー１３内から隣接する筒状部１３ａ内を経て他方の配線カバー１３内に配置されていることを特徴とする請求項１に記載した電気パネル暖房機。
【発明の詳細な説明】
【技術分野】
【０００１】
この発明は、放射熱によって暖房する電気パネル暖房機に関するものである。
【背景技術】
【０００２】
一般的な電気パネル暖房機は、パネル状の枠体内の背部に遮熱部材を配置し、枠体の前面にガードを配置した放熱開口を設け、遮熱部材とガードとの間に面状発熱体を取付け、この枠体は枠体下部に備えた脚によって床面から立たせており、面状発熱体で発生する熱線を放熱開口から枠体の前方に放射すると共に、面状発熱体で暖められた枠体内の空気を枠体の上面に設けた空気流出口から上方に放出しており、熱線の放射と自然対流による暖房を行なっている。（特許文献１参照）
【特許文献１】特公昭５９−４７８０８号公報。
【発明の開示】
【発明が解決しようとする課題】
【０００３】
上記従来の電気パネル暖房機において、放熱開口から放射される熱線によって枠体前方の広い範囲を暖房するためには、面状発熱体や放熱開口の面積を大きくして放熱開口から放射される熱線を広範囲に届かせる必要があるが、面状発熱体や放熱開口を大きくすると枠体形状も大きくなってしまうため、不使用時や保管時に場所をとって邪魔になるという欠点があった。
【０００４】
また、面状発熱体で発生する熱線が届く枠体前面の放熱開口の前方付近では熱線による暖房効果が得られるが、枠体の側方や後方では熱線による暖房効果が得られないため、室内の温度が上昇するまで待たなければならないが、面状発熱体の発熱量で得られる自然対流の暖房能力では十分な暖房効果が得られず、室内の温度が上昇するまでにかなりの時間が必要となる問題があった。
【課題を解決するための手段】
【０００５】
この発明は上記の課題を解決するもので、薄型パネル状の枠体１内の背部には遮熱部材２を配置し、かつ枠体１の前面にはガード３を配置した放熱開口４を設け、前記遮熱部材２とガード３との間の枠体１内には面状発熱体５を取り付けると共に、前記枠体１には脚６を備え、この脚６によって前記枠体１を床面から立たせて放熱開口４から熱線を放射する電気暖房機において、前記枠体１を２個並設して回動軸部７によって二つの枠体１を連結し、その二つの枠体１は回動軸部７を中心にそれぞれの放熱開口４の向く方向が可変可能になっており、前記回転軸部７もしくは二つの枠体１の間には、その二つの枠体１の開口角度が所定の角度以上開かないようにする回転規制部８を設けたことを特徴とする。
【０００６】
また、枠体１の底面には床面との間の空気が流入する空気流入口９を設け、また、枠体１の上面には空気流出口１０を設け、かつ、前記枠体１の放熱開口４が対向する回動位置では二つの枠体１の間に間隔１１を形成し、枠体１の前面の放熱開口４を対向させた状態で使用できるようにしたものであり、面状発熱体５によって暖められた枠体１内と間隔１１の空気は全て枠体１の上方に放出され、自然対流によって室内全体の暖房を行うことができる。
【０００７】
また、枠体１の側面に取り付けた前記回動軸部７は枠体１の前面よりも前方に位置しており、その回動軸部７とは反対側の枠体１の前面には凸部１２を形成し、前記間隔１１は前記回動軸部７と凸部１２とによって形成するもので、回動軸部７と凸部１２の位置関係を特定することで、簡単な構造で間隔１１が形成できる。
【０００８】
また、前記脚６は、それぞれの枠体１の側部付近の枠体１下部から後方に伸びる２個の後方脚６ａと、回動軸部７とは反対側の枠体１の側部付近の枠体１下部から前方に伸びる１個の前方脚６ｂとによって構成し、回動軸部７によって枠体１の放熱開口４が対向する回動位置では前記前方脚６ｂが当接するものであり、
二つの枠体１は回転規制部８によって所定の開口角度以上開かないようになっているので、前方脚６ｂの形状が小さくても枠体１が転倒することはないから、間隔１１の寸法に合わせて前方脚６ｂの形状を設定することができる。
【０００９】
また、枠体１の側面に取り付けた配線カバー１３の端部には筒状部１３ａを形成し、該筒状部１３ａは前記回動軸部７の延長軸上に位置しており、前記枠体１のそれぞれの筒状部１３ａは上下に隣接して配置し、両枠体１を連絡する配線１４は一方の配線カバー１３内から隣接する筒状部１３ａ内を経て他方の配線カバー１３内に配置されているから、二つの枠体１を接続する配線１４が枠体１外に露出することはなく、枠体１の回動時に配線１４のねじれや断線を発生させることがない。
【発明の効果】
【００１０】
この発明の電気パネル暖房機は、面状発熱体５を備えた枠体１を２個並設して回動軸部７によって連結し、二つの枠体１は回動軸部７を中心にして放熱開口４の向く方向を可変可能になっており、暖房機の使用時は二つの枠体１を広げて放熱開口４を開口した状態にすることで、並設した二つの枠体１の放熱開口４から熱線が放射されるから、枠体１の前方の広範囲を暖房することができるようになっている。一方、不使用時や保管時には、枠体１の放熱開口４を対向させた状態にすることで、枠体１を小さく折畳んだ状態にできるから、コンパクトで場所を取らない構成が実現できる。
そして、この発明では回動軸部７もしくは二つの枠体１の間に回転規制部８を設け、この回転規制部８によって枠体１が所定の開口角度以上開かないようにしたもので、枠体１を広げたときは二つの枠体１がく字状になるので、枠体１を安定した構造にすることができ、枠体１が簡単に転倒することがないものである。
【００１１】
また、この発明の電気パネル暖房機は二つの枠体１の放熱開口４を対向させた状態でも使用可能にするため、枠体１の底面に空気流入口９を設け、枠体１の上面に空気流出口１０を設け、枠体１の放熱開口４を対向させたときに二つの枠体１の間に間隔１１を形成したものであり、枠体１の放熱開口４を対向させたときは、枠体１内と間隔１１の空気を暖めて枠体１の上方へ放出させるので、自然対流による暖房能力が向上して効率よく室内全体の暖房を行うことができるようになり、使い勝手が向上できた。
【００１２】
また、枠体１の側面に取り付けた回動軸部７を枠体１の前面よりも前方に位置させると共に、回動軸部７とは反対側の枠体１の前面に凸部１２を形成し、枠体１の放熱開口４を対向させた位置で二つの枠体１の間に回動軸部と凸部１２とが位置することで間隔１１を形成できるから、回動軸部７と凸部１２の位置関係を特定することによって簡単な構造で間隔１１を形成することができるものである。
【００１３】
また、脚６は枠体１の後方に伸びる後方脚６ａと前方に伸びる前方脚６ｂとで構成しており、枠体１の放熱開口４を対向させたときに前方脚６ｂが当接するようにして、回動軸部７と前方脚６ｂとによって間隔１１を形成する構成としたものである。この構成では間隔１１を形成するために前方脚６ｂの形状が小さくなるが、回転規制部８で枠体１の開口角度を規制することで、枠体１を広げたときの形状によって枠体１の転倒を防ぐことができるから、前方脚６を小さくしても枠体１が転倒することはない。そして、回動軸部７と前方脚６ｂによって間隔１１を形成するときは前方脚６ｂによって凸部１２を兼用できるから、枠体１前面の凸部１２を設けなくても間隔１１が形成でき、部品点数の増加を抑えて簡略な構造で実現できるものである。
【００１４】
また、二つの枠体１の側面には配線カバー１３を取り付け、配線カバー１３の端部に形成した筒状部１３ａを回動軸部７の延長軸上に上下に隣接して配置し、両枠体１を連絡する配線１４を一方の配線カバー１３内から隣接する筒状部１３ａ内を経て他方の配線カバー１３内に配置したから、配線１４を枠体１外に露出させることなく、回動軸部７を中心にして枠体１の角度を変化させても配線１４のねじれや断線を発生させることがないものである。
【発明を実施するための最良の形態】
【００１５】
図に示す実施例によってこの発明を説明すると、１は電気パネル暖房機の枠体、２は枠体１内の背面側に配置した遮熱部材、４は枠体１の前面に形成した放熱開口、３は放熱開口４に取り付けたガード、５は枠体１内の遮熱部材２とガード３との間に取り付けたヒータを構成する面状発熱体、６は枠体１の側部付近の底面に取り付けた一対の脚であり、脚６によって枠体１を床面から立たせており、面状発熱体５に通電すると、面状発熱体５が加熱されて全体が高温になり、枠体１前面の放熱開口４から前方に向かって熱線が放射される。
【００１６】
９は枠体１の底面に設けた空気流入口、１０は枠体１の上面に設けた空気流出口であり、面状発熱体５に通電すると、面状発熱体５で加熱された枠体１内の空気が枠体１の上面の空気流出口１０から上方に放出され、枠体１の底面と床面との間の空気が空気流入口９から枠体１内に流入して面状発熱体５に沿って枠体１内を上昇するから、熱気による自然対流を作り出して室内の暖房を行なう。
【００１７】
電気パネル暖房機は、主として枠体１前面の放熱開口４から放射される熱線によって枠体１の前方で採暖する人を暖房するものであるから、放熱開口４から放射される熱線を広範囲に届かせるために面状発熱体５や放熱開口４を大きくしているが、面状発熱体５や放熱開口４を大きくすると枠体形状が大きくなってしまい、不使用時や保管時に場所を取って邪魔になってしまうという欠点がある。
【００１８】
また、面状発熱体５や放熱開口４を大きくしても枠体１の側方や後方までは熱線が届かないため、枠体１の側方や後方では熱線による暖房効果が得られないものであり、このため室内の温度が上昇するまで待たなければならないが、一般的な電気パネル暖房機は放熱開口４や空気流出口１０に触れても火傷等の恐れがない安全な温度になるよう、面状発熱体５の発熱量が低く抑えられているため、室内の温度が上昇するまでにかなりの時間が必要となっており、自然対流による暖房性能はあまり期待できないものであった。
【００１９】
この発明は、図に示すように二つの枠体１を並設した構造にして、使用時は広範囲にわたって暖房を行うことができ、不使用時や保管時にはコンパクトに収納することができる電気パネル暖房機を提案するもので、７は二つの枠体１を連結する回動軸部、７ａは回動軸部７に嵌合する２枚の取付部材であり、回動軸部７の２枚の取付部材７ａが二つの枠体１の側面にそれぞれ取り付けられており、二つの枠体１は回動軸部７を中心に回動可能に連結されている。
【００２０】
回動軸部７を中心に回動する二つの枠体１は、枠体１を折畳んでそれぞれの放熱開口４を対向させた状態から、枠体１を広げて放熱開口４の前方が開口した状態になるまで可変できるようになっており、二つの枠体１を左右に広げたときは放熱開口４が横に並んだ状態になり、二つの枠体１の放熱開口４から熱線が放射されるから、熱線の放射範囲を横方向に広げることができ、枠体１の前方の広い範囲を暖房することができるようになった。
一方、枠体１の前面の放熱開口４を対向させたときは枠体１を小さく折畳んだ状態にすることができるから、不使用時や保管時のスペースを少なくできるものとなった。
また、二つの枠体１の放熱開口４を任意の方向に向けることができるから、広範囲の暖房を行なうときは枠体１を最大まで広げた状態で使用し、狭い範囲の暖房を行なうときは枠体１の開口角度を狭くすることで熱線を集中させることができるものであり、使用状況に応じて放熱開口４からの熱線の放射範囲を変更できるので使い勝手が向上できるものとなった。
【００２１】
上記構成において、二つの枠体１を最大に広げたときの開口角度が１８０度になると、前後方向の安定性が悪くなり、前方や後方から押されたときに簡単に転倒しやすくなる。このための対策として、８は二つの枠体１を所定の開口角度以上開かないようにするための回転規制部であり、枠体１を広げたときは回転規制部８の働きによって枠体１の開口角度が１８０度以下となるように設定されており、二つの枠体１は放熱開口４が少し内側を向く形でく字状に配置される。
【００２２】
図に示す実施例の回転規制部８は枠体１の側面に取り付けた回動軸部７の取付部材７ａを利用しており、取付部材７ａの側面に回動軸部７と反対側の端部が突出するように傾斜部を設けて、この取付部材７ａの側面の傾斜部によって回転規制部８を構成している。
このため、回転軸部７を中心に二つの枠体１を広げると、回転規制部８が二つの枠体１の間で当接して枠体１がそれ以上開かないようになっており、二つの枠体１がく字状に配置されるものであり、二つの枠体１がく字状になることによって転倒しにくい構造となるので、枠体１が前方や後方から押されても簡単に倒れることがなく、製品が安定するものとなった。
【００２３】
また、この発明の実施例において、１１は枠体１の放熱開口４を対向させたときに二つの枠体１の間に形成される間隔、１２は回動軸部７と反対側の枠体１の前面に設けた凸部であり、枠体１の側面に取り付けた回動軸部７は枠体１の前面よりも前方に位置させている。枠体１を折畳んで放熱開口４を対向させたときに凸部１２が当接し、二つの枠体１の間に回動軸部７と凸部１２とが位置するものであり、この回動軸部７と凸部１２とによって枠体１の間に間隔１１が形成され、この構成によって枠体１を折畳んで放熱開口４を対向させた状態でも使用できるようになっている。
【００２４】
二つの枠体１を折畳んだ状態で面状発熱体５に通電すると、枠体１内の空気が暖められ、この暖められた空気が枠体１の上面の空気流出口１０から上方に放出され、枠体１の底面と床面との間の空気が枠体１の底面の空気流入口９から流入する。また、放熱開口４から放射される熱線は間隔１１空気を暖めており、間隔１１内で暖められた空気は上昇して枠体１の上方に放出されるから、面状発熱体５から発生する熱気は全て枠体１の上方に向かう高温空気流となり、自然対流による暖房能力が向上できたから、室内全体の暖房を行うときは、枠体１を折畳んだ状態にすることで効率良く暖房を行なうことができる。
【００２５】
また、６ａは枠体１の下部から後方に伸びる後方脚、６ｂは枠体１の前面側に伸びる前方脚であり、後方脚６ａは枠体１の側部付近に２個設け、前方脚６ｂは回動軸部５と反対側の枠体１の側部付近に１個設けており、後方脚６ａは枠体１を折畳んだときと、枠体１を広げたときの後方側への転倒を防止し、前方脚６ｂは枠体１を広げたときの前方側への転倒を防止する働きがある。
【００２６】
そして、この発明では、枠体１を広げたときに回転規制部８によって二つの枠体１がく字状になり、この枠体１の形状によって前方脚６ｂの形状や大きさに関係なく枠体１の前面側への転倒を防ぐことができるようになっているから、前方脚６ｂの形状を小さくできる。
このため、二つの枠体１を折畳んで放熱開口４を対向させたときに、前方脚６ｂが当接するように設けて、前方脚６ｂによって二つの枠体１の間に間隔１１を形成する構成にしたものである。このように、前方脚６ｂによって間隔１１を形成することができるようになれば、枠体１の前面に凸部１２を設ける必要がなくなるから、部品点数の増加を抑えて簡単な構造でできるものとなった。
【００２７】
また、この発明の実施例において、１４は一方の枠体１内の電装部品と他方の枠体１内の電装部品とを接続する配線、１ａは枠体１の側面に設けた開口であり、配線１４は一方の枠体１の開口１ａから他方の枠体１の開口１ａに伸ばされ、二つの枠体１内の電装部品は電線１４によって接続されており、電源は一方の枠体１内に供給され、両枠体１を接続する配線１４によって他方の枠体に供給される。
【００２８】
１３は枠体１の側面に取り付けた配線１４を覆う配線カバー、１３ａは配線カバー１３の端部に設けた筒状部であり、配線カバー１３は枠体１の側面の回動軸部７の下方に上下に隣接して配置され、配線カバー１３の筒状部１３ａは回動軸部７の延長軸上に位置するように設けている。
上下に隣接した配線カバー１３は筒状部１３ａの内部空間がつながっており、一方の枠体１の開口１ａから配線カバー１３内に引き出された配線１４は上下に配置された筒状部１３ａ内を通して他方の配線カバー１３に届いており、他方の枠体１内に接続されている。このため、二つの枠体１の電装部品を接続する配線１４を枠体１外に露出させることなく、枠体１の外観を損なうことがない。
また、回動軸部を中心に枠体１を回動させたときは、枠体１の回動にあわせて配線カバー１３の筒状部１３ａもそれぞれ一緒に回動するが、筒状部１３ａ内に配置された配線１４は回転することはないから、配線１４のねじれや断線等を発生させることはない。
【図面の簡単な説明】
【００２９】
【図１】この発明の実施例の電気パネル暖房機を折畳んだ状態を示す横断面図である。
【図２】この発明の実施例の電気パネル暖房機を折畳んだ状態を示す縦断面図である。
【図３】この発明の実施例の電気パネル暖房機を広げた状態を示す平面図である。
【図４】この発明の実施例の電気パネル暖房機を広げた状態を示す斜視図である。
【図５】この発明の実施例を示す電気パネル暖房機の要部断面図である。
【符号の説明】
【００３０】
１    枠体
２    遮熱部材
３    ガード
４    放熱開口
５    面状発熱体
６    脚
６ａ  後方脚
６ｂ  前方脚
７    回動軸部
８    回転規制部
９    空気流入口
１０    空気流出口
１１    間隔
１２    凸部
１３    配線カバー
１３ａ  筒状部
１４    配線
【図１】
2008008601.tif 000003
【図２】
2008008601.tif 000004
【図３】
2008008601.tif 000005
【図４】
2008008601.tif 000006
【図５】
2008008601.tif 000007